(57)【要約】   【課題】  簡単な構成部材で形成されるとともに、どんな形状の短靴でも簡単に脱がせることができる靴脱ぎ具を提供すること。  【解決手段】  柄２の延長線上の一端部に設けたと爪部６と爪部６に対向するへら状のロケータ５とで形成された二股部３の溝を靴の背面履口縁部に挿入して使用する靴脱ぎ具１のロケータ５は、靴３４のカウンター部３５に沿う形状に形成し、爪部６は、ロケータ５を靴３４のカウンター部３５にあてがうと靴の３４トップライン３７に挿入される形状に形成した。  【選択図】  図２
2006000566.tif 000002
【特許請求の範囲】
【請求項１】
柄の延長線上の一端部に設けたと爪部と前記爪部に対向するへら状のロケータとで形成された二股部の溝を靴の背面履口縁部に挿入して使用する靴脱ぎ具であって、
前記ロケータは、靴の背面部に沿う形状に形成し、前記爪部は前記ロケータを靴の背面部にあてがうと前記靴の背面履口部に挿入される形状に形成したことを特徴とする靴脱ぎ具。
【請求項２】
前記ロケータには、前記靴脱ぎ具引っ掛け用の孔部を形成するとともに、前記二股部の反対端には靴べら用へら部を形成したことを特徴とする靴脱ぎ具。
【発明の詳細な説明】
【技術分野】
【０００１】
本発明は起立したままの状態で靴を脱ぐときに、靴を脱がせるための補助をする靴脱ぎ具に関する。
【背景技術】
【０００２】
玄関ホールにおいて靴を脱ぐ場合には、例えば、上がり框に座った状態で靴を脱いだり、片側の靴の踵部や背面湾曲部（以下カウンター部という）で他方の靴のカウンター部を押さえて足を靴内から引き抜いたりしていた。
【０００３】
しかし、上述のように座った状態で靴を脱ぐ場合には腰を屈める必要があり、また、一方の靴で他方の靴のカウンター部を押さえた状態で脱ぐ場合には足元が不安定になる等の理由から、起立したままの状態で楽に靴を脱ぐために、靴の踵部やカウンター部を押さえる機能を有する靴脱ぎ具が考案されてきた。このような靴脱ぎ具を以下に示す。
【０００４】
図４に示す靴脱ぎ具は、玄関据置き型の靴脱ぎ具である。靴脱ぎ具２１は、靴脱ぎ用板体２２と、この板体２２の短手方向の一端を床面から所用高さに位置するように支持する脚部２３とで構成されている。板体２２の脚部２３側の一端には、靴の踵部のカーブに合わせた湾曲U字部２４が形成されている。使用者は、このU字部２４に靴の踵部を臨ませて引っ掛けた上で、足部を靴内から引き抜く構造になっている。
【０００５】
図５に示す特許文献１に開示された靴脱ぎ具３１は、棒状の靴脱ぎ具である。靴脱ぎ具３１は所用の長さの棒状の柄３２と、この柄３２の一方の端部に形成された掛止部３３と、掛止部３３の反対端に設けられたグリップで構成されている。
【０００６】
掛止部３３は、靴３４のカウンター部３５がぴったり収まり、且つ、靴３４の踵部３６の通過を阻止する角度のV字翼３３aと、このV字翼３３ａの内側の靴の背面履口部３７（以下トップラインという）の高さに形成された突起部３３ｂとで構成されている。
【０００７】
使用者は、グリップを下方向に付勢してこのV字翼３３ａでカウンター部３５を固定した状態で、突起部３３ｂにトップライン３７を引っ掛けながら、足部３８を靴３４内から引き抜く構造になっている。
【特許文献１】特開2003-33268号公報
【発明の開示】
【発明が解決しようとする課題】
【０００８】
近年、たたきとフロアの段差が低い玄関ホールが増加したこと等の理由により座らずに靴を脱ぐ機会が増え、腰を屈めずに起立した状態のままで靴を脱ぐための補助をする靴脱ぎ具の提供が要請されるようになった。
【０００９】
このように起立したままの状態で靴を脱ぐための靴脱ぎ具は、一般に、上述したような玄関据置き型のものと、棒状のものとが知られている。  
【００１０】
図４に示す据置型の靴脱ぎ具２１を使用すれば、手を使わずに靴を脱ぐことができる。しかし、玄関ホールには、常時、この靴脱ぎ具２１が設置された状態であるので使用時以外は邪魔になる。
【００１１】
更に、玄関ホールが狭い場合にはこのような靴脱ぎ具を設置することができない。また、この靴脱ぎ具２１で靴を脱ごうとする場合には、U字部に自ら靴の踵部を合わせなければならず、足元が不安定になるという問題は解消できなかった。
【００１２】
一方、図５に示す棒状の靴脱ぎ具３１は、玄関ホールに据置く必要がないので狭い玄関ホールにおいても使用でき、且つ、靴底を床面から離すことなく靴を脱ぐことができるので足元が安定するという利点がある。
【００１３】
しかし、この靴脱ぎ具３１は靴３４のカウンター部３５の外周にV字翼３３aの角度を合わせて形成する必要があるので、カウンター部３５のカーブがそれぞれ異なる男性用、女性用、子供用等あらゆる大きさの靴に適しているとはいえない。
【００１４】
更に、上記従来の靴脱ぎ具は構造が大型であったり、複雑であったりするため美観に優れたものとはいえず、玄関ホールに置いたときに、玄関ホール全体の統一感を損なうことがあった。
【００１５】
本願発明の目的は、上記観点に鑑みなされたものであって、できるだけシンプルで、且つ、美観に優れた構成とし、どんな形状の短靴にも使用できる靴脱ぎ具を提供しようとするものである。    
【課題を解決するための手段】
【００１６】
本願発明の第一の構成は、請求項１に記載のように、柄の延長線上の一端部に設けたと爪部と前記爪部に対向するへら状のロケータとで形成された二股部の溝を靴の背面履口縁部に挿入して使用する靴脱ぎ具であって、
前記ロケータは、靴の背面部に沿う形状に形成し、前記爪部は前記ロケータを靴の背面部にあてがうと前記靴の背面履口部に挿入される形状に形成したことを特徴とする。
【００１７】
本願発明の第二の構成は、請求項２に記載のように、前記ロケータには、前記靴脱ぎ具引っ掛け用の孔部を形成するとともに、前記二股部の反対端には靴べら用へら部を形成したことを特徴とする。
【発明の効果】
【００１８】
請求項１に係る発明によれば、靴のカウンター部にロケータを沿わせると、爪部がスムーズに靴内に挿入されるので、柄を下方向に付勢して足部を引き抜くだけで簡単に靴を脱がせることができ、靴底を床面から離すことなく脱がせることができるので足元が不安定になることもない。
【００１９】
また、靴のカウンター部がどんなカーブであっても対応することが可能で、子供用靴から大人用の靴までどのような短靴でも簡単に脱がせることができる。
【００２０】
更に、柄と二股部とからなるシンプルな構成であるので玄関ホールに設置しても邪魔になることがなく、狭い玄関においても使用可能であるとともに、玄関ホールの統一感を損なうことがない。
【００２１】
請求項２に係る発明によれば、靴脱ぎ具を玄関ホール内の壁や下駄箱内に設けられたフック等に引っ掛けて収納することができる。
【００２２】
また、靴を履くときには靴べらとして使用可能で、靴を脱ぐときには靴脱ぎ具として使用することができる。
【発明を実施するための最良の形態】
【００２３】
本発明の実施の形態を図１から図３に示す。
【００２４】
図１は、本発明の第一の実施の形態にかかる靴脱ぎ具の斜視図である。
【００２５】
この靴脱ぎ具１は、所要の長さの柄２と、この柄２の一端部に形成された二股部３と、二股部３の反対端に形成されたグリップ４とで構成されている。
【００２６】
図１に示す靴脱ぎ具１を構成する柄２、二股部３およびグリップ４は、例えばポリプロピレン樹脂等のプラスチック材料や木材、金属等で形成されていて、柄２は、大人が起立したままグリップ３を握った状態で二股部３が、図２に示す靴３４のトップライン３７の位置にくる長さ、本実施の形態においては、１００ｃｍ程度の長さに形成されている。
【００２７】
柄２の先端に形成されている二股部３は、へら状のロケータ５と、靴３４のトップライン３７から靴３４内に挿入される爪部６とが対向して形成された二股フォーク形状になっている。
【００２８】
具体的には、カウンター部３５のカーブに沿う程度のくぼみを有し、コイン大に形成されたロケータ５と、このロケータ５をカウンター部３５にあてがった状態で靴３４内にスムーズに挿入される程度の大きさの爪部６とが一体に成形されている。
【００２９】
更に、二股部３の溝部の基部７（以下固定部という。）は柄２のほぼ延長線上に形成されていて、少ない押付け力でも靴３４を下方向へしっかり押さえつけられるようになっている。
【００３０】
図２は、図１に示す靴脱ぎ具１の使用状態を示す。
【００３１】
靴３４を履いた使用者がグリップ部４を握った状態で、ロケータ５をカウンター部３５にあてがい、二股部３の爪部６をカウンター部３５側のトップライン３７から靴３４内に挿入すると靴のトップライン３７は二股部の溝部に差し込まれた状態になる。次に、柄２を下方向に押しつけながら固定部７で靴のトップラインを固定することで、足部３８を靴３４内から抜き出すようにすることで靴の踵部３６を地面につけたまま容易に靴３４を脱がすことができる。
【００３２】
尚、図１に示す、靴脱ぎ具１は、柄２と二股部３を別個に形成しているが柄２、二股部３およびグリップ４を一体に形成してもよい。
【００３３】
図３は、本発明の第二の実施の形態にかかる靴脱ぎ具の斜視図である。
【００３４】
図３に示す靴脱ぎ具８は、図１に示す靴脱ぎ具１の二股部３の反対端が一般的な靴べらの形状に形成されていて靴べら部９をなしている。
【００３５】
従って、この靴脱ぎ具８は、靴を履くときには靴べらとして使用可能で、靴を脱ぐときには靴脱ぎ具として使用可能になっている。
【００３６】
更に、二股部３のロケータ５には引っ掛け用孔部１０が設けられていて、玄関ホールの壁や下駄箱に設けたフックに掛けて収納することが可能になっている。
【図面の簡単な説明】
【００３７】
【図１】本発明の靴脱ぎ具の第一の実施の形態を示す斜視図。
【図２】図１に示す靴脱ぎ具の使用例を示す側面図
【図３】本発明の靴脱ぎ具の第二の実施の形態を示す斜視図。
【図４】従来の据置き型靴脱ぎ具の斜視図。
【図５】従来の棒状靴脱ぎ具の使用例を示す側面図。
【符号の説明】
【００３８】
１    靴脱ぎ具
２    柄
３    二股部
４    グリップ
５    ロケータ
６    爪部
７    固定部
８    靴脱ぎ具
９    靴べら部
１０    孔部
２１    靴脱ぎ具
２２    板体
２３    脚部
２４    Ｕ字部
３１    靴脱ぎ具
３２    柄
３３    掛止部
３３ａ  Ｖ字翼
３３ｂ  突起部
３４    靴
３５    カウンター部
３６    踵部
３７    トップライン
３８    足部
【図１】
2006000566.tif 000003
【図２】
2006000566.tif 000004
【図３】
2006000566.tif 000005
【図４】
2006000566.tif 000006
【図５】
2006000566.tif 000007